(57)【要約】      （修正有）【課題】試料に入射する光の角度を任意の角度として物体色の視感測定をすることが簡便にできる視感判定用器具を提供すること。【解決手段】照度と明度が可変である光源１０を上部に配置し、底部に試料台２を光源の光が照射されるように配し、底部と試料台２に接続され底部と試料台との角度を任意の角度にすることができる上蓋ステー７及び固定板３を有し、底部面と試料台との角度を表示する角度表示部８を有し、試料に入射する光の角度を任意の角度として物体色の視感測定をすることが簡便にでき、照度、明度、入射角の違いによるグレースケールとの比較ができる。【選択図】図１
0003110576.tif 000002
【実用新案登録請求の範囲】
【請求項１】
試料台、床板、床板と試料台に接続され床板と試料台との角度を任意の角度にすることができる上蓋ステー及び固定板、床板面と試料台面との角度を表示する角度表示部を有し、試料に入射する光の角度を任意の角度として物体色の視感測定をすることが簡便にできることを特徴とする視感判定用器具。
【請求項２】
照度と明度が可変である光源を上部に配置し、底部に試料台を光源の光が照射されるように配し、底部と試料台に接続され底部と試料台との角度を任意の角度にすることができる上蓋ステー及び固定板を有し、底部面と試料台との角度を表示する角度表示部を有し、試料に入射する光の角度を任意の角度として物体色の視感測定をすることが簡便にでき、照度、明度、入射角の違いによるグレースケールとの比較ができることを特徴とする視感判定用器具。
【考案の詳細な説明】
【技術分野】
【０００１】
本考案は、視感判定用器具に関する。更に詳しくは、物体色の視感判定する視感判定用器具に関するものである。
【背景技術】
【０００２】
例えば、染色堅ろう度の判定方法のひとつとして視感判定がある。視感判定は、通常、試験片を４５°に保持し、上方から照明して試料に対し９０°の方向から観察する。観察角度は９０°でなくてもよいが、この場合、観察角度と光線角度は記録することになっている（例えば、非特許文献１参照）。
【非特許文献１】ＪＩＳ染色堅ろう度試験方法通則Ｌ０８０１：２００４（第６ページ)
【０００３】
また、床と試料とのなす角度を任意とする視感判定方法もある（例えば、非特許文献２参照）。
【非特許文献２】ＡＡＴＣＣ  Ｔｅｃｈｎｉｃａｌ  Ｍａｎｕａｌ  ２００４（第３９６ページ）
【０００４】
従来の視感判定用器具では、光線角度が４５°で観察角度が９０°であるのが一般的であった。試料台の角度を変えて光線角度を変えることができる視感判定用器具でも、その角度をいちいち測らなくてはならない、角度の固定が難しいといった問題点があった。
【考案の開示】
【考案が解決しようとする課題】
【０００５】
本考案が解決しようとする問題点は、試料に入射する光の角度を任意の角度として物体色の視感測定をする作業が煩雑である点である。
【０００６】
本考案は、かかる問題を鑑みてなされたものであり、したがって、本考案の目的は、試料に入射する光の角度を任意の角度として物体色の視感測定をすることが簡便にできる視感判定用器具を提供することにある。
【課題を解決するための手段】
【０００７】
上記目的を達成するために、本考案の視感判定用器具は、試料台、床板、床板と試料台に接続され床板と試料台との角度を任意の角度にすることができる上蓋ステー及び固定板、床板面と試料台面との角度を表示する角度表示部を有し、試料に入射する光の角度を任意の角度として物体色の視感測定をすることが簡便にできるものである。
【０００８】
また、本考案の視感判定用器具は、照度と明度が可変である光源を上部に配置し、底部に試料台を光源の光が照射されるように配し、底部と試料台に接続され底部と試料台との角度を任意の角度にすることができる上蓋ステー及び固定板を有し、底部面と試料台との角度を表示する角度表示部を有し、試料に入射する光の角度を任意の角度として物体色の視感測定をすることが簡便にでき、照度、明度、入射角の違いによるグレースケールとの比較ができることを特徴とすることが好ましい。
【考案の効果】
【０００９】
本考案の視感判定用器具は、上述したとおりであるので、試料に入射する光の角度を任意の角度として物体色の視感測定をすることが簡便にできる。
【考案を実施するための最良の形態】
【００１０】
本考案の最良の実施例について、以下に図を用いて詳細に述べる。
【実施例１】
【００１１】
図１は、本考案の視感判定用器具の実施例１の斜視図である。図２は、本考案の視感判定用器具の実施例１の右側面図（使用例）である。図３は、本考案の視感判定用器具の実施例１の右側面図（試料台を倒した状態）である。図４は、本考案の視感判定用器具の実施例１の左側面図（試料台を倒した状態）である。図５は、本考案の視感判定用器具の実施例１の角度表示部拡大図である。
【００１２】
図１、図２、図３及び図４に示した本考案の実施例１の視感判定用器具（１２）は、試料台（２）、上蓋ステー（７）、固定板（３）、角度表示部（８）を有する。図５に示したように、角度表示部（８）は、０°から６０°までの目盛りが刻まれている。この角度は、床板（１３）と試料台（２）とのなす角度を示す。
【００１３】
上蓋ステー（７）は、床板（１３）と試料台（２）に接続されている。上蓋ステー（７）は、継ぎ手部分で接続された上下２つの部分からなり、継ぎ手部分で、くの字に折れ曲がる。上蓋ステー（７）の下部は固定板（３）の一端とねじ止めされており、上蓋ステー（７）の上部は固定板（３）の溝内を自由に動く固定バー（９）に接続されたねじで接続されている。試料台（２）を持ちながら固定バー（９）を回しねじを緩めて、上蓋ステー（７）の継ぎ手部分の曲げ角度を調整することにより、床板（１３）と試料台（２）との角度を任意の角度にして、固定バー（９）のねじをしめ、床板（１３）と試料台（２）との角度を固定することができる。
【００１４】
角度表示部（８）は、床板面と試料台面との角度を表示するものである。
【００１５】
本考案の実施例１の視感判定用器具（１２）は、試料に入射する光の角度を任意の角度として物体色の視感測定をすることが簡便にできる
【００１６】
本考案の視感判定用器具の実施例１においては、試料に入射する光の角度を任意の角度として物体色の視感測定をすることが簡便にできる。
【実施例２】
【００１７】
図６は、本考案の視感判定用器具の実施例２の斜視図である。本考案の視感判定用器具の実施例２においては、光源（１０）を上部に配置し、底部（１１）に試料台（２）を光源の光が照射されるように配し、上蓋ステー（７）及び固定板（３）を有し、底部面と試料台面との角度を表示する角度表示部（８）を有する。
【００１８】
光源（１０）は、照度と明度が可変である。上蓋ステー（７）は、底部（１１）と試料台（２）に接続される。上蓋ステー（７）及び固定板（３）は、底部（１１）と試料台（２）との角度を任意の角度にすることができる。
【００１９】
試料に入射する光の角度を任意の角度として物体色の視感測定をすることが簡便にでき、照度、明度、入射角の違いによるグレースケールとの比較ができる
そのほかの構造は実施例１と同様である。
【００２０】
本考案の視感判定用器具の実施例１においては、試料に入射する光の角度を任意の角度として物体色の視感測定をすることが簡便にできる。
【００２１】
したがって、本考案の視感判定用器具によれば、試料に入射する光の角度を任意の角度として物体色の視感測定をすることが簡便にできる。
【図面の簡単な説明】
【００２２】
【図１】本考案の視感判定用器具の実施例１の斜視図である。
【図２】本考案の視感判定用器具の実施例１の右側面図（使用例）である。
【図３】本考案の視感判定用器具の実施例１の右側面図（試料台を倒した状態）である。
【図４】本考案の視感判定用器具の実施例１の左側面図（試料台を倒した状態）である。
【図５】本考案の視感判定用器具の実施例１の角度表示部拡大図である。
【図６】本考案の視感判定用器具の実施例２の斜視図である。
【符号の説明】
【００２３】
１  試料
２  試料台
３  固定板
４  蝶番台
５  支点金具
６  蝶番
７  上蓋ステー
８  角度表示部
９  固定バー
１０  光源
１１  底部
１２  視感判定用器具
１３  床板
【図１】
0003110576.tif 000003
【図２】
0003110576.tif 000004
【図３】
0003110576.tif 000005
【図４】
0003110576.tif 000006
【図５】
0003110576.tif 000007
【図６】
0003110576.tif 000008